(57)【要約】【課題】丸められた急傾斜コンベヤベルトをパレットから降ろすことなく容易に真直ぐに引き延ばす。【解決手段】長尺平ベルトＢ１の外表面における両側部にベルト長さ方向の全長にわたって側壁が立設されるとともに、長尺平ベルトＢ１の外表面おいてこれらの側壁同士の間に位置する部分に、ベルト長さ方向に間隔をあけて複数の横桟が立設された急傾斜コンベヤベルトＢの搬送用パレット１０であって、その本体部１１は、ベルト長さ方向に丸められた急傾斜コンベヤベルトＢが、その軸線Ｏを鉛直方向に向けた状態で載置される載置面１１ａを備えるとともに、この載置面１１ａと反対側の反載置面１１ｂに支持部材１２が突設され、この支持部材１２の先端面１２ａを接地させたときに反載置面１１ｂと接地面との間に隙間が設けられるようになっている。【選択図】図１
2009007013.tif 000002
【特許請求の範囲】
【請求項１】
長尺平ベルトの外表面における両側部にベルト長さ方向の全長にわたって側壁が立設されるとともに、前記長尺平ベルトの外表面においてこれらの側壁同士の間に位置する部分に、ベルト長さ方向に間隔をあけて複数の横桟が立設された急傾斜コンベヤベルトの搬送用パレットであって、
この搬送用パレットの本体部は、ベルト長さ方向に丸められた前記急傾斜コンベヤベルトが、その軸線を鉛直方向に向けた状態で載置される載置面を備えるとともに、この載置面と反対側の反載置面に支持部材が突設され、
この支持部材の先端面を接地させたときに前記反載置面と接地面との間に隙間が設けられる構成とされたことを特徴とする急傾斜コンベヤベルトの搬送用パレット。
【請求項２】
請求項１記載の急傾斜コンベヤベルトの搬送用パレットであって、
前記支持部材は前記本体部と一体に形成されていることを特徴とする急傾斜コンベヤベルトの搬送用パレット。
【請求項３】
請求項１または２に記載の急傾斜コンベヤベルトの搬送用パレットであって、
前記支持部材は前記反載置面の中央部に突設されるとともに、この反載置面の外周部に、前記支持部材と突出長さが同等のガイド部材が複数突設されていることを特徴とする急傾斜コンベヤベルトの搬送用パレット。
【請求項４】
請求項３記載の急傾斜コンベヤベルトの搬送用パレットであって、
前記ガイド部材は離脱可能とされて前記反載置面の外周部に突設されていることを特徴とする急傾斜コンベヤベルトの搬送用パレット。
【発明の詳細な説明】
【技術分野】
【０００１】
本発明は、急傾斜コンベヤベルトの搬送用パレットに関するものである。
【背景技術】
【０００２】
急傾斜コンベヤベルトは、例えば下記特許文献１に示されるように、長尺平ベルトの外表面における両側部にベルト長さ方向の全長にわたって側壁が立設されるとともに、前記長尺平ベルトの外表面においてこれらの側壁同士の間に位置する部分に、ベルト長さ方向に間隔をあけて複数の横桟が立設された概略構成とされている。
このような急傾斜コンベヤベルトを搬送する際には、前記側壁や横桟が急傾斜コンベヤベルトの自重により潰されて変形するのを防いだり、あるいは梱包容積がかさむのを防いだりする等のために、例えば下記特許文献２に示されるようなリールに巻き付けたり、あるいは搬送用パレットの載置面上に折り重ねた状態で載置したりせずに、ベルト長さ方向に渦巻状に丸めてその軸線を鉛直方向に向けた状態で搬送用パレットの載置面上に載置するようにしている。
そして、このように丸められた急傾斜コンベヤベルトは、搬送先において、一旦搬送用パレットから降ろした後に、その軸線回りに回転させつつ径方向外方端に位置する先端部を径方向外方に向けて引っ張り、真直ぐに引き延ばしてコンベヤ装置に組み付けられている。
【特許文献１】特開平１０−２９７７３８号公報
【特許文献２】実用新案登録第３１２５１５９号公報
【発明の開示】
【発明が解決しようとする課題】
【０００３】
しかしながらこの場合、搬送用パレットから急傾斜コンベヤベルトを一旦降ろさなければ、急傾斜コンベヤベルトを前述のように真直ぐに引き延ばすことができず、このコンベヤ装置への組み付けに手間がかかるという問題があった。
【０００４】
この発明は、このような事情を考慮してなされたもので、丸められた急傾斜コンベヤベルトをパレットから降ろすことなく容易に真直ぐに引き延ばすことができる急傾斜コンベヤベルトの搬送用パレットを提供することを目的とする。
【課題を解決するための手段】
【０００５】
上記課題を解決して、このような目的を達成するために、本発明の急傾斜コンベヤベルトの搬送用パレットは、長尺平ベルトの外表面における両側部にベルト長さ方向の全長にわたって側壁が立設されるとともに、前記長尺平ベルトの外表面においてこれらの側壁同士の間に位置する部分に、ベルト長さ方向に間隔をあけて複数の横桟が立設された急傾斜コンベヤベルトの搬送用パレットであって、この搬送用パレットの本体部は、ベルト長さ方向に丸められた前記急傾斜コンベヤベルトが、その軸線を鉛直方向に向けた状態で載置される載置面を備えるとともに、この載置面と反対側の反載置面に支持部材が突設され、この支持部材の先端面を接地させたときに前記反載置面と接地面との間に隙間が設けられる構成とされたことを特徴とする。
この発明では、搬送用パレットの本体部における反載置面に支持部材が突設されて、この支持部材の先端面を接地させたときに前記反載置面と接地面との間に隙間が設けられるので、前述のように丸められて載置面に載置された急傾斜コンベヤベルトにおいてその径方向外方端に位置する先端部を径方向外方に向けて引っ張り、このコンベヤベルトにその軸線回りに回転させる力を作用させたときに、搬送用パレットの本体部を、前記支持部材回りに回転させ易くすることが可能になる。したがって、前述のように丸められて載置面に載置された急傾斜コンベヤベルトを、搬送用パレットから降ろさなくても容易に真直ぐに引き延ばすことが可能になり、コンベヤ装置への組み付けにかかる手間を低減することができる。
【０００６】
ここで、前記支持部材は前記本体部と一体に形成されてもよい。
この場合、支持部材が本体部と一体に形成されているので、前述の作用効果を有する搬送用パレットをコストをかけることなく形成することができる。
【０００７】
また、前記支持部材は前記反載置面の中央部に突設されるとともに、この反載置面の外周部に、前記支持部材と突出長さが同等のガイド部材が複数突設されてもよい。
この場合、支持部材が反載置面の中央部に突設されているので、前述の作用効果がより一層確実に奏功されることになる。また、本体部の反載置面にガイド部材が突設されているので、この本体部に前記支持部材を設けたことによって、搬送用パレットが例えばぐらついたり、横倒れし易くなったりするのを防ぐことが可能になり、接地安定性を向上させることができる。
【０００８】
さらに、前記ガイド部材は離脱可能とされて前記反載置面の外周部に突設されてもよい。
この場合、搬送後、載置面に載置された急傾斜コンベヤベルトを真直ぐに引き延ばす前に、ガイド部材を容易に取り除くことが可能になり、コンベヤ装置への組み付けにかかる手間を一層低減することができる。
【発明の効果】
【０００９】
この発明によれば、丸められた急傾斜コンベヤベルトをパレットから降ろすことなく容易に真直ぐに引き延ばすことができる。
【発明を実施するための最良の形態】
【００１０】
以下、本発明に係る急傾斜コンベヤベルトの搬送用パレットの一実施形態を図１を参照しながら説明する。
この搬送用パレット１０は、長尺平ベルトＢ１の外表面における両側部にベルト長さ方向の全長にわたって側壁が立設されるとともに、長尺平ベルトＢ１の外表面においてこれらの側壁同士の間に位置する部分に、ベルト長さ方向に間隔をあけて複数の横桟が立設された急傾斜コンベヤベルトＢを載置して搬送するためのものである。
【００１１】
搬送用パレット１０の本体部１１は、ベルト長さ方向に渦巻状に丸められた急傾斜コンベヤベルトＢが、その軸線Ｏを鉛直方向に向けた状態で載置される載置面１１ａを備えている。なお、図示の例では、急傾斜コンベヤベルトＢは、前記外表面が径方向内側に向くようにして丸められている。
そして、本実施形態では、本体部１１において載置面１１ａと反対側の反載置面１１ｂに、支持部材１２が突設されている。
図示の例では、本体部１１は平面視四角形状となっている。また、本体部１１は、例えば木材、ハニカム構造の紙、および合成樹脂等のうちの少なくとも１つにより形成されている。さらに、この本体部１１において載置面１１ａと反載置面１１ｂとを連結する側面１１ｃには、この搬送用パレット１０を持ち上げる際にフォークリフトに設けられたフォークが挿入される挿入孔１３が形成されている。
【００１２】
また、支持部材１２は円柱状に形成され、本体部１１の反載置面１１ｂの中央部に突設されている。さらに、本実施形態では、本体部１１および支持部材１２は一体に形成されており、支持部材１２は本体部１１の反載置面１１ｂに固定されている。さらにまた、反載置面１１ｂの外周部には、支持部材１２と突出長さが同等のガイド部材１４が複数突設されている。図示の例では、複数のガイド部材１４は反載置面１１ｂの四隅に１つずつ突設されている。さらにまた、これらのガイド部材１４は、反載置面１１ｂに例えば接着剤等により離脱可能に取り付けられている。
以上より、支持部材１２および複数のガイド部材１４の各先端面１２ａ、１４ａを接地させると、本体部１１の反載置面１１ｂと接地面との間に隙間が設けられることになる。
【００１３】
以上説明したように、本実施形態による搬送用パレット１０によれば、本体部１１の反載置面１１ｂに支持部材１２が突設されて、この支持部材１２の先端面１２ａを接地させたときに反載置面１１ｂと接地面との間に隙間が設けられるので、前述のように丸められて載置面１１ａに載置された急傾斜コンベヤベルトＢにおいてその径方向外方端に位置する先端部を径方向外方に向けて引っ張り、このコンベヤベルトＢにその軸線Ｏ回りに回転させる力を作用させたときに、搬送用パレット１０の本体部１１を、支持部材１２回りに回転させ易くすることが可能になる。
【００１４】
したがって、前述のように丸められて載置面１１ａに載置された急傾斜コンベヤベルトＢを、搬送用パレット１０から降ろさなくても容易に真直ぐに引き延ばすことが可能になり、コンベヤ装置への組み付けにかかる手間を低減することができる。
なお、本実施形態では、本体部１１と支持部材１２とが一体に形成されているので、前述のように急傾斜コンベヤベルトＢにその軸線Ｏ回りに回転させる力を作用させると、支持部材１２の先端面１２ａが接地面上をこの支持部材１２の軸線回りに摺動しつつ、搬送用パレット１０の本体部１１が支持部材１２回りに回転することになる。
【００１５】
また、本実施形態では、支持部材１２が本体部１１と一体に形成されているので、前述の作用効果を有する搬送用パレット１０をコストをかけることなく形成することができる。
さらに、支持部材１２が反載置面１１ｂの中央部に突設されているので、前述の作用効果がより一層確実に奏功されることになる。また、本体部１１の反載置面１１ｂにガイド部材１４が突設されているので、この本体部１１に支持部材１２を設けたことによって、搬送用パレット１０が例えばぐらついたり、横倒れし易くなったりするのを防ぐことが可能になり、接地安定性を向上させることができる。
【００１６】
さらに、本実施形態では、ガイド部材１４が離脱可能に反載置面１１ｂの外周部に突設されているので、搬送後、載置面１１ａに載置された急傾斜コンベヤベルトＢを真直ぐに引き延ばす前に、ガイド部材１４を容易に取り除くことが可能になり、コンベヤ装置への組み付けにかかる手間を一層低減することができる。
【００１７】
なお、本発明の技術的範囲は前記実施の形態に限定されるものではなく、本発明の趣旨を逸脱しない範囲において種々の変更を加えることが可能である。
例えば、前記実施形態では、支持部材１２として円柱状体を示したが、その形状は適宜変更してもよい。また、支持部材１２を本体部１１の反載置面１１ｂにおける中央部に突設したが、その位置は特に限定されるものではない。
さらに、前記実施形態では、本体部１１の側面１１ｃに挿入孔１３を形成するとともに、本体部１１の反載置面１１ｂにガイド部材１４を突設したが、これらの挿入孔１３およびガイド部材１４は設けなくてもよい。
【００１８】
また、ガイド部材１４を離脱可能に本体部１１の反載置面１１ｂに突設したが、例えば本体部１１と一体に形成する等して固定させてもよい。さらに、ガイド部材１４を本体部１１の反載置面１１ｂに接着剤で接着したが、これに代えて例えば離脱可能に係合、若しくは嵌合してもよい。
さらに、ガイド部材１４および支持部材１２の各突出長さを互いに同等にしたが、異ならせてもよい。また、ガイド部材１４を、本体部１１の反載置面１１ｂの四隅に１つずつ突設したが、その位置および個数は適宜変更してもよい。
【００１９】
さらにまた、前記実施形態では、支持部材１２と本体部１１とを一体に形成したが、それぞれを別体にして、例えば本体部１１の反載置面１１ｂに支持部材１２をその軸線回りに回転自在に嵌合させてもよい。すなわち、本体部１１の載置面１１ａに載置された急傾斜コンベヤベルトＢを、その軸線Ｏ回りに回転させて真直ぐに引き延ばす際に、支持部材１２の先端面１２ａを接地面上で摺動させずに、この支持部材１２回りに本体部１１を回転させるようにしてもよい。
【産業上の利用可能性】
【００２０】
丸められた急傾斜コンベヤベルトをパレットから降ろすことなく容易に真直ぐに引き延ばすことができる。
【図面の簡単な説明】
【００２１】
【図１】本発明に係る一実施形態として示した急傾斜コンベヤベルトの搬送用パレットの側面図および底面図である。
【符号の説明】
【００２２】
１０  搬送用パレット
１１  本体部
１１ａ  載置面
１１ｂ  反載置面
１２  支持部材
１２ａ  支持部材の先端面
１４  ガイド部材
Ｂ  急傾斜コンベヤベルト
Ｂ１  長尺平ベルト
Ｏ  軸線
【図１】
2009007013.tif 000003